【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
サブスクライブ側デバイスによるワイヤレス通信の方法であって、
セキュアな近隣認識ネットワーキング(NAN)データパス(NDP)を確立するためにパブリッシュ側デバイスとのセキュリティネゴシエーションを開始すると決定するステップと、
前記セキュアなNDPを確立するための前記セキュリティネゴシエーションを開始するために、NANサービスを提供している前記パブリッシュ側デバイスに開始メッセージを送信するステップであって、前記開始メッセージが、前記セキュリティネゴシエーションにおいて前記パブリッシュ側デバイスがオーセンティケータになり前記サブスクライブ側デバイスがサプリカントになることを示す、ステップと
を備える、方法。
【請求項２】
前記パブリッシュ側デバイスにサブスクリプションメッセージを送信するステップであって、前記サブスクリプションメッセージが前記サブスクライブ側デバイスによって要求される1つまたは複数のNANサービスを示す、ステップと、
前記パブリッシュ側デバイスからパブリケーションメッセージを受信するステップであって、前記パブリケーションメッセージが前記パブリッシュ側デバイスから利用可能な少なくとも1つのNANサービスを示す、ステップと
をさらに備える、請求項1に記載の方法。
【請求項３】
前記送信された開始メッセージに基づいて、前記パブリッシュ側デバイスからNDP要求メッセージを受信するステップと、
前記受信されたNDP要求メッセージに基づいて、NDP応答メッセージを送信するステップと、
前記送信されたNDP応答メッセージに応答して、NDPセキュリティインストレーションメッセージを含む第1のNDPセキュリティ確認メッセージを受信するステップと、
前記受信された第1のNDPセキュリティ確認メッセージに基づいて、第2のNDPセキュリティ確認メッセージを送信するステップと
をさらに備える、請求項1に記載の方法。
【請求項４】
前記パブリッシュ側デバイスにNDP要求メッセージを送信するステップであって、前記開始メッセージが前記NDP要求メッセージ内に含まれる、ステップと、
前記送信されたNDP要求メッセージに基づいて、NDP応答メッセージを受信するステップと、
前記受信されたNDP応答メッセージに応答して、第1のNDPセキュリティ確認メッセージを送信するステップと、
前記送信された第1のNDPセキュリティ確認メッセージに基づいて、第2のNDPセキュリティ確認メッセージを受信するステップであって、前記NDP応答メッセージまたは前記第2のNDPセキュリティ確認メッセージがNDPセキュリティインストレーションメッセージを含む、ステップと
をさらに備える、請求項1に記載の方法。
【請求項５】
前記パブリッシュ側デバイスにNDP要求メッセージを送信するステップであって、前記開始メッセージが前記NDP要求メッセージ内に含まれる、ステップと、
前記送信されたNDP要求メッセージに基づいてNDP応答メッセージを受信するステップであって、前記NDP応答メッセージが、グループアドレス指定されるトラフィックを暗号化または復号するための共通グループ鍵を含むNDPセキュリティインストレーションメッセージを含む、ステップと、
前記受信されたNDP応答メッセージに基づいて、NDPセキュリティ確認メッセージを送信するステップと
をさらに備える、請求項1に記載の方法。
【請求項６】
パブリッシュ側デバイスによるワイヤレス通信の方法であって、
近隣認識ネットワーキング(NAN)サービスを要求しているサブスクライブ側デバイスから開始メッセージを受信するステップであって、前記開始メッセージが、NANデータパス(NDP)と関連付けられるセキュリティネゴシエーションを開始するためのものである、ステップと、
前記受信された開始メッセージに基づいて、前記セキュリティネゴシエーションにおいて前記パブリッシュ側デバイスがオーセンティケータであり前記サブスクライブ側デバイスがサプリカントであることを決定するステップと
を備える、方法。
【請求項７】
前記受信された開始メッセージに基づいて、前記サブスクライブ側デバイスにNDP要求メッセージを送信するステップをさらに備える、
請求項6に記載の方法。
【請求項８】
前記サブスクライブ側デバイスからサブスクリプションメッセージを受信するステップであって、前記サブスクリプションメッセージが前記サブスクライブ側デバイスによって要求される1つまたは複数のNANサービスを示し、前記開始メッセージが前記サブスクリプションメッセージにおいて受信される、ステップと、
前記サブスクライブ側デバイスにパブリケーションメッセージを送信するステップであって、前記パブリケーションメッセージが前記パブリッシュ側デバイスから利用可能な少なくとも1つのNANサービスを示す、ステップと
をさらに備える、請求項6に記載の方法。
【請求項９】
前記サブスクライブ側デバイスからNDP要求メッセージを受信するステップをさらに備え、前記開始メッセージが前記NDP要求メッセージ内に含まれる、
請求項6に記載の方法。
【請求項１０】
認証の成功の後で、前記サブスクライブ側デバイスに共通グループ鍵を送信するステップをさらに備える、
請求項6に記載の方法。
【請求項１１】
サブスクライブ側デバイスである、ワイヤレス通信のための装置であって、
セキュアな近隣認識ネットワーキング(NAN)データパス(NDP)を確立するためにパブリッシュ側デバイスとのセキュリティネゴシエーションを開始すると決定するための手段と、
前記セキュアなNDPを確立するための前記セキュリティネゴシエーションを開始するために、NANサービスを提供している前記パブリッシュ側デバイスに開始メッセージを送信するための手段であって、前記開始メッセージが、前記セキュリティネゴシエーションにおいて前記パブリッシュ側デバイスがオーセンティケータになり前記サブスクライブ側デバイスがサプリカントになることを示す、手段と
を備える、装置。
【請求項１２】
前記パブリッシュ側デバイスにサブスクリプションメッセージを送信するための手段であって、前記サブスクリプションメッセージが前記サブスクライブ側デバイスによって要求される1つまたは複数のNANサービスを示す、手段と、
前記パブリッシュ側デバイスからパブリケーションメッセージを受信するための手段であって、前記パブリケーションメッセージが前記パブリッシュ側デバイスから利用可能な少なくとも1つのNANサービスを示す、手段と
をさらに備える、請求項11に記載の装置。
【請求項１３】
パブリッシュ側デバイスである、ワイヤレス通信のための装置であって、
近隣認識ネットワーキング(NAN)サービスを要求しているサブスクライブ側デバイスから開始メッセージを受信するための手段であって、前記開始メッセージが、NANデータパス(NDP)と関連付けられるセキュリティネゴシエーションを開始するためのものである、手段と、
前記受信された開始メッセージに基づいて、前記セキュリティネゴシエーションにおいて前記パブリッシュ側デバイスがオーセンティケータであり前記サブスクライブ側デバイスがサプリカントであることを決定するための手段と
を備える、装置。
【請求項１４】
前記受信された開始メッセージに基づいて、前記サブスクライブ側デバイスにNDP要求メッセージを送信するための手段をさらに備える、
請求項13に記載の装置。
【請求項１５】
請求項1から10のいずれか一項に記載の方法を、実行するための命令を備える、
コンピュータプログラム。